(57)【特許請求の範囲】
【請求項１】
空気調和機本体の前面に吸い込みグリルを備えた壁掛け型空気調和装置において、
前記吸い込みグリルの内側に昇降自在に吸い込みフィルタを保持し、リモートコントローラ等からの信号入力に応じて、吸い込みフィルタが下降を開始し、この下降動作に連動して吸い込みグリルを本体前面から開放する機構を有し、該機構は、前記吸い込みフィルタの昇降経路近傍に設けられ、この吸い込みフィルタの下降時にその一部が該吸い込みフィルタに当接して回動して、前記吸い込みグリルを本体前面から開放するカム部材を備え、この開放により生じた隙間を通じて吸い込みフィルタが所定位置まで下降する構成を備えたことを特徴とする壁掛け型空気調和装置。
【請求項２】
前記吸い込みフィルタが、吸い込みグリルの内面に固定されたフィルタ保持部と、このフィルタ保持部に挿入自在に構成され前記隙間から下降する取り出し部と、この取り出し部に装着されたフィルタ素材とを備えたことを特徴とする請求項１に記載の壁掛け型空気調和装置。
【発明の詳細な説明】
【０００１】
【発明の属する技術分野】
本発明は、空気調和機本体に対し昇降自在な吸い込みフィルタを備えた壁掛け型空気調和装置に関する。
【０００２】
【従来の技術】
一般に、空気調和機本体の前面に吸い込みグリルを備えた壁掛け型空気調和装置が知られている。この種のものでは、吸い込みグリルの内側に昇降自在に吸い込みフィルタを保持し、この吸い込みフィルタの洗浄時には、吸い込みフィルタを所定位置まで下降させ、その位置で、洗浄のためにフィルタ素材を取り外しできるようにしたものが提案されている。
【０００３】
この従来の構成では、空気調和機本体の下部に吸い込みグリル下降用の細長い開口部を設け、通常時は、この細長い開口部をフラップ状の蓋部材で覆う構成が一般に採用されている。
【０００４】
【発明が解決しようとする課題】
しかし、上記構成では、空気調和機本体の下部に細長い開口部を設け、この細長い開口部を覆うフラップ状の蓋部材を設けるため、部品点数が増し、製造コストが増大するという問題がある。
【０００５】
そこで、本発明の目的は、上述した従来の技術が有する課題を解消し、開口部等を設けることなく、吸い込みフィルタを下降させることができる壁掛け型空気調和装置を提供することにある。
【０００６】
【課題を解決するための手段】
請求項１記載の発明は、空気調和機本体の前面に吸い込みグリルを備えた壁掛け型空気調和装置において、前記吸い込みグリルの内側に昇降自在に吸い込みフィルタを保持し、リモートコントローラ等からの信号入力に応じて、吸い込みフィルタが下降を開始し、この下降動作に連動して吸い込みグリルを本体前面から開放する機構を有し、該機構は、前記吸い込みフィルタの昇降経路近傍に設けられ、この吸い込みフィルタの下降時にその一部が該吸い込みフィルタに当接して回動して、前記吸い込みグリルを本体前面から開放するカム部材を備え、この開放により生じた隙間を通じて吸い込みフィルタが所定位置まで下降する構成を備えたことを特徴とする。
【０００７】
請求項２記載の発明は、前記吸い込みフィルタが、吸い込みグリルの内面に固定されたフィルタ保持部と、このフィルタ保持部に挿入自在に構成され前記隙間から下降する取り出し部と、この取り出し部に装着されたフィルタ素材とを備えたことを特徴とする。
【００１０】
【発明の実施の形態】
以下、本発明の実施の形態を、図面に基づき説明する。
【００１１】
図１乃至図３は、壁掛け型空気調和装置の縦断面図である。１は空気調和機本体を示しており、この本体１は壁３に据え付けられている。この本体１内には室内側熱交換器５と、クロスフローファン７とが設置されている。この本体１の上部１Ａには上部吸い込み口９がグリル状に形成され、この上部１Ａの前縁部１Ｂには、吸い込みグリル１１が上端１１Ａを、支点１２を中心にヒンジ連結した状態で、下端１１Ｂが本体１前面から開放自在に取り付けられている。
【００１２】
この吸い込みグリル１１の内側には、フィルタ素材を有した吸い込みフィルタ１３が、昇降自在に取り付けられている。
【００１３】
図４は、図３に対応し、フィルタ素材１４を有した吸い込みフィルタ１３が、下降した状態を示す外観斜視図である。
【００１４】
空気調和機本体１の下部には、スクロール部１７と舌部１９とで囲まれた空気吹出し口２１が形成され、この空気吹出し口２１内には風向変更板２３が配置されている。この風向変更板２３は、空気吹出し口２１の下側長手方向に延材する幅狭の下側水平板２３Ａと、空気吹出し口２１の上側長手方向に延材する上側水平板２３Ｂと、空気吹出し口２１の短手方向に延材する複数枚の垂直板２３Ｃとを備えて構成されている。
【００１５】
図５Ａ〜図５Ｃは、吸い込みフィルタ１３の昇降機構を示す。
【００１６】
本実施形態では、この昇降機構が、吸い込みグリル１１の内面に固定されたガイド４１と、このガイド４１に案内されて昇降自在なフィルタ保持部４３と、このフィルタ保持部４３に挿入自在に構成される取り出し部４５と、この取り出し部４５に装着されるフィルタ素材１４とを備えて構成される。ガイド４１は、吸い込みグリル１１の両側に配置され、フィルタ保持部４３を両側から案内する。なお、４７は上部ガイドであり、この上部ガイド４７はフィルタ素材１４の上端部１４Ａのみを案内し、図１を参照し、この上部ガイド４７は本体１の上部１Ａと室内側熱交換器５の上方との間に湾曲して延在する。
【００１７】
つぎに、吸い込みフィルタ１３の駆動システムを説明する。
【００１８】
この吸い込みフィルタ１３は左右一対のガイド４１を介して吸い込みグリル１１の内面に固定されると共に、一対のガイド４１の各下端には固定部５１が配置されている。各固定部５１にはピニオン５２が配置され、各ピニオン５２は、同期回転させるための連結軸５３で連結され、いずれか一方のピニオン５２には正逆回転可能な直流ステッピングモータが連結されている。
【００１９】
各ピニオン５２は、フィルタ保持部４３の外壁に固定されたラック４３Ａに噛み合い、直流ステッピングモータが駆動されると、ピニオン５２が同期して回転し、回転方向に応じてフィルタ保持部４３が昇降される。
【００２０】
また、固定部５１の上端部にはベルト５４の一端５４Ａが固定され、このベルト５４の他端５４Ｂは、フィルタ保持部４３の上端に固定された上部ローラ５６に巻かれて下方に延出し、ベルト５４のほぼ中間部５４Ｃが、取り出し部４５の上端に固定された後、さらに、下方に延出してフィルタ保持部４３の下端に固定された下部ローラ５７に巻かれて上方に延出し、固定部５１の下端部に固定されている。これによると、直流ステッピングモータが正回転された場合、上述したラック４３Ａとピニオン５２の噛み合いによって、フィルタ保持部４３が下降すると共に、ベルト５４のほぼ中間部５４Ｃが、取り出し部４５の上端に固定されているため、フィルタ保持部４３が該フィルタ保持部４３の最下点まで降下すると同時に、図５Ｃに示すように、取り出し部４５はさらに下方の該取り出し部４５の最下点まで下降する。一方、直流ステッピングモータが逆回転された場合、ラック４３Ａとピニオン５２の噛み合いによって、フィルタ保持部４３が上方に引き上げられると共に、ベルト５４によって取り出し部４５が、フィルタ保持部４３内に引き上げられ所定の位置に格納される。
【００２１】
本実施形態では、例えば、リモートコントローラ（図示せず）からの信号入力に応じて、上述したように、吸い込みフィルタ１３が下降を開始した場合、この下降動作に連動して、図２に示すように、吸い込みグリル１１が、空気調和機本体１の前面から開放され、吸い込みグリル１１の下端と空気調和機本体１との間に一定の大きさの隙間１００が形成され、この隙間１００を通じて、吸い込みフィルタ１１が所定位置まで下降する機構を備える。
【００２２】
すなわち、図６に示すように、フィルタ保持部４３（吸い込みフィルタ）の昇降経路近傍にカム部材６１が設けられ、このカム部材６１の一端６１Ａは支点６２を介して吸い込みグリル１１の固定部にヒンジ連結されている。
【００２３】
このカム部材６１の他端６２Ｂには、フィルタ保持部４３の移動経路内に突出する当接部６３が一体に形成されている。そして、フィルタ保持部４３が下降して、図７に示すように、フィルタ保持部４３の下端４３Ａが当接部６３に当接すると、当接部６３が押し退けられ、カム部材６１が支点６２を中心に矢印Ａの方向に回動される。フィルタ保持部４３がさらに下降すると、図８及び図９に示すように、フィルタ保持部４３の下端４３Ａから当接部６３が外れ、カム部材６１が支点６２を中心にさらに矢印Ａの方向に回動し、カム部材６１の押圧部６１Ｃが、空気調和機本体１の固定部６５に当接する。
【００２４】
本実施形態では、図８及び図９に示すように、フィルタ保持部４３が下降するに連れて、空気調和機本体１の固定部６５とフィルタ保持部４３との間の寸法が狭まるように設定される。従って、フィルタ保持部４３が所定位置まで下降した場合、固定部６５とフィルタ保持部４３との間に位置するカム部材６１によって押し退けられるようにして、吸い込みグリル１１が、空気調和機本体１の前面から開放され、吸い込みグリル１１の下端と空気調和機本体１との間に、吸い込みフィルタ１１を下降させる大きさの隙間１００が形成される。
【００２５】
上記構成では、リモコン等からの信号入力に応じて、吸い込みフィルタ１１が下降を開始した場合、この下降動作に連動して吸い込みグリル１１を本体１前面から開放し、この開放により生じた隙間１００を通じて吸い込みフィルタ１１を所定位置まで下降させる構成を備えたため、空気調和機本体１の下部に吸い込みグリル下降用の細長い開口部を設けたり、この開口部を塞ぐ蓋部材を設けたりする必要がなく、構造が簡素化され、部品点数が削減されるため、製造コストを低減することができる。また、蓋部材等が外観に現れなくなるため、美観に優れた製品が得られる、等の効果が得られる。
【００２６】
以上、一実施形態に基づいて本発明を説明したが、本発明は、これに限定されるものでないことは明らかである。
【００２７】
【発明の効果】
本発明では、リモートコントローラ等からの信号入力に応じて、吸い込みグリルが本体前面から開放され、その隙間を通じて吸い込みフィルタが所定位置まで下降されるため、従来のように複雑な構造とすることなく、吸い込みフィルタを所定位置まで下降させることができる。
【図面の簡単な説明】
【図１】本発明による壁掛け型空気調和装置の一実施形態を示す断面図である。
【図２】吸い込みフィルタが下がり始めた状態を示す断面図である。
【図３】吸い込みフィルタが下がりきった状態を示す断面図である。
【図４】吸い込みフィルタが下がりきった状態を示す斜視図である。
【図５】Ａ〜Ｃは、吸い込みフィルタが下がる過程を示す断面図である。
【図６】カム部材の初期状態を示す断面図である。
【図７】カム部材が回動を開始した状態を示す図である。
【図８】カム部材の最終状態を示す断面図である。
【図９】カム部材の最終状態を示す図である。
【符号の説明】
１  空気調和機本体
１１  吸い込みグリル
１３  吸い込みフィルタ
１４  フィルタ素材
４１  ガイド
４３  フィルタ保持部
４５  取り出し部
６１  カム部材
１００  隙間
【図１】
0004688367.tif 000002
【図２】
0004688367.tif 000003
【図３】
0004688367.tif 000004
【図４】
0004688367.tif 000005
【図５】
0004688367.tif 000006
【図６】
0004688367.tif 000007
【図７】
0004688367.tif 000008
【図８】
0004688367.tif 000009
【図９】
0004688367.tif 000010